(57)【要約】【課題】容易に補機類のプーリアライメントの精度を確保してエンジンに補機類を取り付けられる補機類取付用治具及び補機類取付方法を提供する。【解決手段】予め補記類取付治具１の補機類用プーリ係合部３１、４１、５１に補機類１１１、１２１、１３１のプーリ１１３、１２３、１３３を固定し、クランクプーリ係合部２０をエンジン１０１のクランクプーリ１０３に係合することで、クランクプーリ１０３に対する各補機類１１１、１２１、１３１のプーリ１１３、１２３、１３３のアライメントを合わせた状態となり、補機類１１１、１２１、１３１をプーリ１１３、１２３、１３３のアライメント精度が確保された状態でエンジン１０１に取り付けることができ、厄介な補機類１１１、１２１、１３１のプーリ１１３、１２３、１３３のアライメント調整が不要になる補機類の取り付け作業の簡素化及び効率化が得られ、作業者への負担が軽減できる。【選択図】図２
2012193684.tif 000002
【特許請求の範囲】
【請求項１】
エンジンのベルト巻き掛け部を有するクランクプーリに対してアライメントを合わせた状態を維持して配置されるベルト巻き掛け部を有するプーリを備えた補機類を前記エンジンに取り付ける際に使用する補機類取付治具であって、
前記クランクプーリと所定の位置関係を保って係合可能なクランクプーリ係合部を備えた治具本体と、
前記クランクプーリ係合部に係合したクランクプーリに対してアライメントを合わせた状態を維持して前記補機類のプーリを固定可能な前記治具本体に配置された補機類用プーリ係合部とを備えたことを特徴とする補機類取付治具。
【請求項２】
前記クランクプーリ係合部は、
前記クランクプーリのベルト巻き掛け部に該ベルト巻き掛け部の幅方向及び周方向の所定範囲に亘って嵌合する円弧形状の係合凹面を備えたことを特徴とする請求項１に記載の補機類取付治具。
【請求項３】
前記クランクプーリ係合部は、
前記クランクプーリのベルト巻き掛け部に嵌合する円弧形状の第１係合凹面を有する第１クランクプーリ係合部材と、
該第１クランクプーリ係合部材と対向配置されて前記クランクプーリのベルト巻き掛け部に嵌合する円弧形状の第２係合凹面を有する第２クランクプーリ係合部材とを備え、前記第１係合凹面及び第２係合凹面によってクランクプーリのベルト巻き掛け部の幅方向及び周方向の所定範囲に亘って嵌合することを特徴とする請求項１に記載の補機類取付治具。
【請求項４】
前記クランクプーリ係合部は、
前記クランクプーリのベルト巻き掛け部に該ベルト巻き掛け部に沿って嵌合する円弧形状の係合凹面を備え、該係合凹面に前記クランクプーリのベルト巻き掛け部の周方向に離間し、かつ少なくとも一点がプーリ軸方向に偏倚する３点以上で該ベルト巻き掛け部に当接する係合部を備えたことを特徴とする請求項１に記載の補機類取付治具。
【請求項５】
前記補機類用プーリ係合部は、
前記補機類のプーリのベルト巻き掛け部に該ベルト巻き掛け部の幅方向及び周方向の所定範囲に亘って嵌合する円弧形状の係合凹面を備えたことを特徴とする請求項１〜４のいずれか１項に記載の補機類取付治具。
【請求項６】
前記補機類用プーリ係合部は、
前記補機類のプーリのベルト巻き掛け部に該ベルト巻き掛け部に沿って嵌合する円弧形状の係合凹面を備え、該係合凹面に該ベルト巻き掛け部の周方向に離間し、かつ少なくとも一点がプーリ軸方向に偏倚する３点以上で該ベルト巻き掛け部に当接する係合部を備えたことを特徴とする請求項１〜４のいずれか１項に記載の補機類取付治具。
【請求項７】
前記補機類用プーリ係合部は、
前記補機類のプーリのベルト巻き掛け部に該ベルト巻き掛け部の幅方向及び周方向の所定範囲に亘って嵌合する円弧形状の係合凹面を備えて前記治具本体に固定された固定側プーリ係合部と、
該固定側プーリの係合凹面に対して接離方向に移動可能に補機類本体に配置されて前記固定側プーリ係合部の係合凹面と対向して前記補機類のプーリのベルト巻き掛け部に嵌合可能な円弧形状の係合凹面を備えた可動側係合部とを備えたことを特徴とする請求項１〜４のいずれか１項に記載の補機類取付治具。
【請求項８】
前記補機類用プーリ係合部は、
前記補機類のプーリのベルト巻き掛け部に該ベルト巻き掛け部に沿って嵌合する円弧形状の係合凹面を備え、該係合凹面に前記補機類のプーリのベルト巻き掛け部の周方向に離間し、かつ少なくとも一点がプーリ軸方向に偏倚する３点以上で該ベルト巻き掛け部に当接する係合部を備えて前記治具本体に固定された固定側プーリ係合部と、
該固定側プーリの係合凹面に対して接離方向に移動可能に補機類本体に配置されて前記固定側プーリ係合部の係合凹面と対向して前記補機類のプーリのベルト巻き掛け部に嵌合可能な円弧形状の係合凹面を備えた可動側係合部とを備えたことを特徴とする請求項１〜４のいずれか１項に記載の補機類取付治具。
【請求項９】
エンジンのクランププーリに対してアライメントを合わせた状態を維持して配置されるプーリを備えた補機類を前記エンジンに取り付ける補機類取付治具を用いた補機類取付方法であって、
前記補機類取付治具が、前記クランクプーリと所定の位置関係を保って前記クランクプーリに係合可能なクランクプーリ係合部を備えた治具本体及び前記クランクプーリ係合部に係合したクランクプーリに対してアライメントを合わせた状態を維持して前記補機類のプーリを固定可能な前記治具本体に配置された補機類用プーリ係合部と備え、
前記補機類取付治具の補機類用プーリ係合部に補機類のプーリを固定し、
該補機類用プーリ係合部に補機類のプーリを固定した状態で前記クランクプーリ係合部をエンジンのクランクプーリに係合し、
該クランクプーリにクランクプーリ係合部を係合した状態で前記補機類をエンジンに取付け、
しかる後、補機類のプーリから補機類用プーリ係合部及びクランクプーリからクランクプーリ係合部をそれぞれ取り外すことを特徴とする補機類取付治具を用いた補機類取付方法。
【請求項１０】
エンジンのベルト巻き掛け部を有するクランププーリに対してアライメントを合わせた状態を維持して配置されるベルト巻き掛け部を有するプーリを備えた補機類を前記エンジンに取り付ける補機類取付治具を用いた補機類取付方法であって、
前記補機類取付治具が、前記クランクプーリと所定の位置関係を保って該クランクプーリのベルト巻き掛け部に係合可能なクランクプーリ係合部を備えた治具本体及び補機類用プーリ係合部を備え、該補機類用プーリ係合部は前記クランクプーリ係合部に係合したクランクプーリに対してアライメントを合わせた状態を維持して前記補機類のプーリのベルト巻き掛け部に係合可能な係合凹面を有する前記治具本体に固定された固定側プーリ係合部と、該固定側プーリ係合部の係合凹面に対して接離方向に移動可能に補機類本体に配置されて前記固定側プーリ係合部の係合凹面と対向して前記補機類のプーリのベルト巻き掛け部に嵌合可能な円弧形状の係合凹面を有する可動側プーリ係合部とを備え、
前記補機類取付治具の固定側プーリ係合部の係合凹面を補機類のプーリのベルト巻き掛け部に係合すると共に該固定側プーリ係合部の係合凹面と可動側プーリ係合部の係合凹面とにより該補機類のプーリを挟持固定し、
該固定側プーリ係合部と可動側プーリ係合部により補機類のプーリを挟持固定した状態で前記クランクプーリ係合部をエンジンのクランクプーリに係合し、
該クランクプーリにクランクプーリ係合部を係合した状態で前記補機類をエンジンに取付け、
しかる後、固定側プーリ係合部から可動側プーリ係合部を離反せしめて補機類のプーリから固定側プーリ係合部及び可動側プーリ係合部を取り外すと共にクランクプーリからクランクプーリ係合部を取り外すことを特徴とする補機類取付治具を用いた補機類取付方法。
【発明の詳細な説明】
【技術分野】
【０００１】
本発明は、エンジンのクランク軸回転を駆動源とする補機類をエンジンに取付ける際に使用する補機類取付用治具及び該治具を用いた補機類取付方法に関する。
【背景技術】
【０００２】
例えば、車載用のエンジンにはクランク軸の回転を駆動源とする空調機器用コンプレッサ、オルタネータ、パワーステアリング用オイルポンプ等の補機類が搭載され、駆動側となるクランク軸に装着されたクランクプーリと従動側となる各補機類の回転軸に装着されたプーリとの間に無端状の伝動ベルトが巻き掛けられる。即ち、クランク軸が回転することにより伝動ベルトが駆動側のクランクプーリから従動側の各補機類のプーリを順に走行して再びクランクプーリに戻るように循環走行して各補機類を駆動する。
【０００３】
このようなエンジンでは、アライメントが適正でないプーリ、即ち中心軸が他のプーリの中心軸に対して平行でない傾斜しているプーリや、各プーリが同一平面上からずれて配置されるプーリには、そのプーリに対して伝動ベルトが傾斜した状態で巻き掛けられる。
【０００４】
この状態で伝動ベルトが循環走行すると、伝動ベルトとプーリとの擦れによる伝動ベルトの早期摩耗による耐久性の低下や、異音が発生する等の悪影響が懸念される。
【０００５】
一般に、プーリのアライメントを適正に合わせるために、補機類のエンジンに対する取付部の精度を高くしてアライメントが合うようにするものや、補機類のエンジンに対する取付部のボルト孔を長孔等にして補機類の取付状態を調整可能にして、補機類の組み付けの際にアライメントを調整しながら取り付ける方法がある。
【０００６】
ここで、エンジンに対する補機類の取付部の精度を高くすることは、製造コストの上昇を招く要因となる。
【０００７】
そこで、複数のプーリの相互のアライメントを調整する技術が種々提案されている。例えば、特許文献１には、各プーリの端面に中心軸と一致するように突出する基準軸を形成し、これらプーリの各基準軸にそれぞれ嵌合する基準穴を有する各ブッシュ及び各ブッシュを所定配置で一体に連結する連結部材によって構成されたアライメント調整治具がある。このアライメント調整治具による各プーリのアライメント調整は、各プーリの基準軸に対するアライメント調整治具の各ブッシュの基準穴の嵌入可否によってプーリのアライメント調整をする。
【０００８】
具体的には作業者により、アライメント調整治具の各基準穴を各プーリの基準軸に嵌入し、その嵌入の可否をチェックすることで行う。この嵌入において、全ての基準穴が各々の基準軸に嵌入できないときには、１以上のプーリが相互に傾いており、これによりアライメント状態を確認する。そして、１以上のプーリが傾いているときには、各プーリの相互の傾きがなくなるように補機類を調整移動し、再び、治具の各基準穴が各プーリの基準軸に嵌入し、その嵌入の可否をチェックすることで、アライメント状態を確認する。このアライメント状態の確認を繰り返すことにより、各プーリ相互のアライメントを合わせる。
【先行技術文献】
【特許文献】
【０００９】
【特許文献１】特開２００１−３４３０５４号公報
【発明の概要】
【発明が解決しようとする課題】
【００１０】
ところが、上記特許文献１に記載された技術において、エンジンに取り付けられる補機類のアライメントを合わせるには、アライメント調整用治具を用いながらエンジンに対して補機類を相対的に移動させることで、その補機類のプーリのアライメントを調整することから、その調整作業が厄介で面倒なものとなってしまう。
【００１１】
従って、かかる点に鑑み成された本発明の目的は、容易に補機類のプーリのアライメント精度を確保してエンジンに取り付けることが可能な補機類取付用治具及び該治具を用いた補機類取付方法を提供するものである。
【課題を解決するための手段】
【００１２】
上記目的を達成する請求項１に記載の発明による補機類取付治具は、エンジンのベルト巻き掛け部を有するクランクプーリに対してアライメントを合わせた状態を維持して配置されるベルト巻き掛け部を有するプーリを備えた補機類を前記エンジン本体に取り付ける際に使用する補機類取付治具であって、前記クランクプーリと所定の位置関係を保って係合可能なクランクプーリ係合部を備えた治具本体と、前記クランクプーリ係合部に係合したクランクプーリに対してアライメントを合わせた状態を維持して前記補機類のプーリを固定可能な前記治具本体に配置された補機類用プーリ係合部とを備えたことを特徴とする。
【００１３】
これにより、補機類をエンジン本体に取り付けるにあたり、予め補機類取付治具の補機類用プーリ係合部に補機類のプーリを固定し、この補機類用プーリ係合部に補機類のプーリが固定された状態でクランクプーリ係合部をエンジンのクランクプーリに係合すると、クランクプーリに対する補機類のプーリのアライメントを合わせた状態となり、クランクプーリに対するプーリのアライメントが合わされた状態で補機類をエンジンに取付固定することで、補機類をプーリのアライメント精度が確保された状態でエンジンに取り付けることができ、厄介なクランクプーリに対する補機類のプーリのアライメント調整が不要になり補機類の取り付け作業の簡素化及び効率化が得られ、作業者への負担が軽減できる。
【００１４】
請求項２の発明は、請求項１の補機類取付治具において、前記クランクプーリ係合部は、前記クランクプーリのベルト巻き掛け部に該ベルト巻き掛け部の幅方向及び周方向の所定範囲に亘って嵌合する円弧形状の係合凹面を備えたことを特徴とする。
【００１５】
これにより、クランクプーリのベルト巻き掛け部に、そのベルト巻き掛け部の幅方向及び周方向の所定範囲に亘ってクランクプーリ係合部の係合凹面が嵌合することで、クランクプーリに対する補機類取付治具の相対位置が確実となり、クランクプーリに対する補機類のプーリのアライメント精度が容易に確保できる。
【００１６】
請求項３の発明は、請求項１の補機類取付治具において、前記クランクプーリ係合部は、前記クランクプーリのベルト巻き掛け部に嵌合する円弧形状の第１係合凹面を有する第１クランクプーリ係合部材と、該第１クランクプーリ係合部材と対向配置されて前記クランクプーリのベルト巻き掛け部に嵌合する円弧形状の第２係合凹面を有する第２クランクプーリ係合部材とを備え、第１係合凹面及び第２係合凹面によってクランクプーリのベルト巻き掛け部の幅方向及び周方向の所定範囲に亘って嵌合することを特徴とする。
【００１７】
これによると、クランクプーリ係合部を互いに対向する第１係合凹面を有する
第１クランクプーリ係合部材と第２係合凹面を有する第２クランクプーリ係合部材によって構成することにより、該第１クランクプーリ係合部材と第２クランクプーリ係合部材との間より第１係合凹面及び第２係合凹面とクランクプーリとの係合状態を容易に目視確認でき、作業性が向上する。
【００１８】
請求項４の発明は、請求項１の補機類取付治具において、前記クランクプーリ係合部は、前記クランクプーリのベルト巻き掛け部に該ベルト巻き掛け部に沿って嵌合する円弧形状の係合凹面を備え、該係合凹面に前記クランクプーリのベルト巻き掛け部の周方向に離間し、かつ少なくとも一点がプーリ軸方向に偏倚する３点以上で該ベルト巻き掛け部に当接する係合部を備えたことを特徴とする。
【００１９】
これにより、クランクプーリのベルト巻き掛け部に、クランクプーリ係合部の係合凹面が嵌合することで、クランクプーリのベルト巻き掛け部の周方向に離間し、かつ少なくとも一点がプーリ軸方向に偏倚する３点以上の係合部がベルト巻き掛け部に当接することで、クランクプーリに対する補機類取付治具の相対位置が確実となりクランクプーリに対する補機類のプーリのアライメント精度が容易に確保できる。
【００２０】
請求項５の発明は、請求項１〜４のいずれか１項に記載の補機類取付治具において、前記補機類用プーリ係合部は、前記補機類のプーリのベルト巻き掛け部に該ベルト巻き掛け部の幅方向及び周方向の所定範囲に亘って嵌合する円弧形状の係合凹面を備えたことを特徴とする。
【００２１】
これにより、補機類のプーリのベルト巻き掛け部に、そのベルト巻き掛け部の幅方向及び周方向の所定範囲に亘って補機類用プーリ係合部の係合凹面が嵌合することで、クランクプーリに対する補機類取付治具のプーリの相対位置合わせが確実となり、クランクプーリに対する補機類のプーリのアライメント精度が容易に確保できる。
【００２２】
請求項６の発明は、請求項１〜４のいずれか１項に記載の補機類取付治具において、前記補機類用プーリ係合部は、前記補機類のプーリのベルト巻き掛け部に該ベルト巻き掛け部に沿って嵌合する円弧形状の係合凹面を備え、該係合凹面に該ベルト巻き掛け部の周方向に離間し、かつ少なくとも一点がプーリ軸方向に偏倚する３点以上で該ベルト巻き掛け部に当接する係合部を備えたことを特徴とする。
【００２３】
これにより、補機類のプーリのベルト巻き掛け部に、クランクプーリ係合部の係合凹面が嵌合すると、補機類のプーリのベルト巻き掛け部の周方向に離間し、かつ少なくとも一点がプーリ軸方向に偏倚する３点以上の係合部がベルト巻き掛け部に当接することで、クランクプーリに対する補機類取付治具の相対位置合わせが容易かつ確実となりクンクプーリに対する補機類のプーリのアライメント精度が容易に確保できる。
【００２４】
請求項７の発明は、請求項１〜４のいずれか１項に記載の補機類取付治具において、前記補機類用プーリ係合部は、前記補機類のプーリのベルト巻き掛け部に該ベルト巻き掛け部の幅方向及び周方向の所定範囲に亘って嵌合する円弧形状の係合凹面を備えて前記治具本体に固定された固定側プーリ係合部と、該固定側プーリの係合凹面に対して接離方向に移動可能に補機類本体に配置されて前記固定側プーリ係合部の係合凹面と対向して前記補機類のプーリのベルト巻き掛け部に嵌合可能な円弧形状の係合凹面を備えた可動側係合部とを備えたことを特徴とする。
【００２５】
請求項８の発明は、請求項１〜４のいずれか１項に記載の補機類取付治具において、前記補機類用プーリ係合部は、前記補機類のプーリのベルト巻き掛け部に該ベルト巻き掛け部に沿って嵌合する円弧形状の係合凹面を備え、該係合凹面に前記補機類のプーリのベルト巻き掛け部の周方向に離間し、かつ少なくとも一点がプーリ軸方向に偏倚する３点以上で該ベルト巻き掛け部に当接する係合部を備えて前記治具本体に固定された固定側プーリ係合部と、該固定側プーリの係合凹面に対して接離方向に移動可能に補機類本体に配置されて前記固定側プーリ係合部の係合凹面と対向して前記補機類のプーリのベルト巻き掛け部に嵌合可能な円弧形状の係合凹面を備えた可動側係合部とを備えたことを特徴とする、これら請求項７及び請求項８によると、補機類用プーリ係合部は、補機類のプーリのベルト巻き掛け部に該ベルト巻き掛け部の幅方向及び周方向に亘って嵌合する円弧形状の係合凹面を備えて前記治具本体に固定された固定側プーリ係合部と、該固定側プーリの係合凹面に対して接離方向に移動可能に補機類本体に配置されて固定側プーリ係合部の係合凹面と対向して補機類のプーリのベルト巻き掛け部に嵌合可能な円弧形状の係合凹面を備えた可動側プーリ係合部によって構成することで、補機類のプーリのベルト巻き掛け部に、固定側プーリ係合部の係合凹面が嵌合することでクランクプーリに対する補機類取付治具のプーリの相対位置が規制され、固定側プーリ係合部と可動側プーリ係合部によってプーリを挟持固定することで容易かつ確実にクランクプーリに対する補機類のプーリのアライメント精度が維持され、補機類の取り付けが容易になる。
【００２６】
上記目的を達成する請求項９に記載の発明による補機類取付治具を用いた補機類取付方法は、エンジンのクランクプーリに対してアライメントを合わせた状態を維持して配置されるプーリを備えた補機類を前記エンジンに取り付ける補機類取付治具を用いた補機類取付方法であって、前記補機類取付治具が、前記クランクプーリと所定の位置関係を保って前記クランクプーリに係合可能なクランクプーリ係合部を備えた治具本体及び前記クランクプーリ係合部に係合したクランクプーリに対してアライメントを合わせた状態を維持して前記補機類のプーリを固定可能な前記治具本体に配置された補機類用プーリ係合部と備え、前記補機類取付治具の補機類用プーリ係合部に補機類のプーリを固定し、該補機類用プーリ係合部に補機類のプーリを固定した状態で前記クランクプーリ係合部をエンジンのクランクプーリに係合し、該クランクプーリにクランクプーリ係合部を係合した状態で前記補機類をエンジンに取付け、しかる後、補機類のプーリから補機類用プーリ係合部及びクランクプーリからクランクプーリ係合部をそれぞれ取り外すことを特徴とする。
【００２７】
これにより、補機類をエンジンに取り付けるにあたり、予め補機類取付治具の補機類用プーリ係合部に補機類のプーリを固定し、この補機類用プーリ係合部に補機類のプーリが固定された状態でクランクプーリ係合部をエンジンのクランクプーリに係合することで、クランクプーリに対する補機類のプーリのアライメントを合わせた状態となり、クランクプーリに対するプーリのアライメントが合わされた状態で補機類をエンジンに取付固定することで、補機類をプーリのアライメント精度が確保された状態でエンジンに取り付けることができ、厄介な補機類のプーリのアライメントを調整が不要になる補機類の取り付け作業の簡素化及び効率化が得られ、作業者への負担が軽減できる。
【００２８】
上記目的を達成する請求項１０に記載の発明による補機類取付治具を用いた補機類取付方法は、エンジンのベルト巻き掛け部を有するクランププーリに対してアライメントを合わせた状態を維持して配置されるベルト巻き掛け部を有するプーリを備えた補機類をエンジンに取り付ける補機類取付治具を用いた補機類取付方法であって、前記補機類取付治具が、前記クランクプーリと所定の位置関係を保って該クランクプーリのベルト巻き掛け部に係合可能なクランクプーリ係合部を備えた治具本体及び補機類用プーリ係合部を備え、該補機類用プーリ係合部は前記クランクプーリ係合部に係合したクランクプーリに対してアライメントを合わせた状態を維持して前記補機類のプーリのベルト巻き掛け部に係合可能な係合凹面を有する前記治具本体に固定された固定側プーリ係合部と、該固定側プーリ係合部の係合凹面に対して接離方向に移動可能に補機類本体に配置されて前記固定側プーリ係合部の係合凹面と対向して前記補機類のプーリのベルト巻き掛け部に嵌合可能な円弧形状の係合凹面を有する可動側プーリ係合部とを備え、前記補機類取付治具の固定側プーリ係合部の係合凹面を補機類のプーリのベルト巻き掛け部に係合すると共に該固定側プーリ係合部の係合凹面と可動側プーリ係合部の係合凹面とにより該補機類のプーリを挟持固定し、該固定側プーリ係合部と可動側プーリ係合部により補機類のプーリを挟持固定した状態で前記クランクプーリ係合部をエンジンのクランクプーリに係合し、該クランクプーリにクランクプーリ係合部を係合した状態で前記補機類をエンジン本体に取付け、しかる後、固定側プーリ係合部から可動側プーリ係合部を離反せしめて補機類のプーリから固定側プーリ係合部及び可動側プーリ係合部を取り外すと共にクランクプーリからクランクプーリ係合部を取り外すことを特徴とする。
【００２９】
これにより、補機類をエンジンに取り付けるにあたり、予め補機類取付治具の補機類用プーリ係合部、即ち固定側プーリ係合部の係合凹面部と可動側プーリ係合部の係合凹面部により補機類のプーリを挟持固定し、この補機類用プーリ係合部に補機類のプーリが固定された状態でクランクプーリ係合部をエンジンのクランクプーリに係合することで、クランクプーリに対する補機類のプーリのアライメントを合わせた状態となり、クランクプーリに対するプーリのアライメントが合わされた状態で補機類をエンジン本体に取付固定することで、補機類をプーリのアライメント精度が確保された状態でエンジンに取り付けることができ、厄介な補機類のプーリのアライメントを調整が不要になり補機類の取り付け作業の簡素化及び効率化が得られ、作業者への負担が軽減できる。
【発明の効果】
【００３０】
本発明によると、補機類をエンジンに取り付けるにあたり、予め補機類取付治具の補機類用プーリ係合部に補機類のプーリを固定し、この補機類用プーリ係合部に補機類のプーリが固定された状態でクランクプーリ係合部をエンジンのクランクプーリに係合すると、クランクプーリに対する補機類のプーリのアライメントを合わせた状態となり、クランクプーリに対するプーリのアライメントが合わされた状態で補機類をエンジンに取付固定することで、補機類をプーリのアライメント精度が確保された状態でエンジンに取り付けることができ、厄介な補機類のプーリのアライメント調整が不要になり補機類の取り付け作業の簡素化及び効率化が得られ、作業者への負担が軽減できる。
【図面の簡単な説明】
【００３１】
【図１】本実施の形態における補機類取付用治具の正面図である。
【図２】補機類取付治具の斜視図である。
【図３】補機類取付治具の分解斜視図である。
【図４】補機類取付治具に補機類を取り付けた状態を示す斜視図である。
【図５】補機類取付治具の使用状態を示すエンジンの正面図である。
【図６】補機類取付治具の使用状態を示すエンジンの平面図である。
【図７】図６の要部拡大図である。
【発明を実施するための形態】
【００３２】
以下、本発明に係る補機類取付用治具及び補機類取付治具を用いた補機類取付方法の一実施の形態を、水平対向４気筒エンジンに空調機器用コンプレッサ、オルタネータ、パワーステアリング用オイルポンプ等の補機類を搭載する場合を例に説明する。
【００３３】
図１は補機類取付治具の正面図、図２は補機類取付治具の斜視図、図３は補機類取付治具の分解斜視図、図４は補機類取付治具に補機類を取り付けた状態を示す斜視図である。
【００３４】
図５は補機類取付治具の使用状態を示すエンジンの正面図、図６は補機類取付治具の使用状態を示すエンジンの平面図、図７は図６の要部拡大図である。
【００３５】
補機類取付用治具及び補機類取付方法の説明に先立って、エンジン及び補機類の概要を説明する。本実施の形態におけるエンジン１０１は、図５乃至図６に概要を示すように水平対向４気筒エンジンであり、前面中央にクランク軸１０２が延出され、このクランク軸１０２に駆動側となるクランクプーリ１０３が装着される。クランクプーリ１０３はベルト巻き掛け部１０３ａが周方向に連続する複数のＶ溝によって形成され、ベルト巻き掛け部１０３ａの両側にプーリフランジが形成されたＶリブドベルト用のプーリによって構成される。
【００３６】
また、エンジン１０１の上部には、中央にオルタネータ１２１が配置され、その両側に空調機器用コンプレッサ１１１及びパワーステアリング用オイルポンプ１３１が並設して取り付けられる。
【００３７】
空調機器用コンプレッサ１１１は、図４及び図７に示す前面に回転軸１１２が延出し、回転軸１１２に従動側となるプーリ１１３が装着され、空調機器用コンプレッサ１１１の各側部に回転軸１１２と平行なネジ孔を有する一対の治具取付ボス部１１４が突出形成される。プーリ１１３はベルト巻き掛け部１１３ａが周方向に連続する複数のＶ溝によって形成され、ベルト巻き掛け部１１３ａの両側にプーリフランジが形成されたＶリブドベルト用のプーリによって構成される。
【００３８】
このように構成された空調機器用コンプレッサ１１１の下部に空調機器用コンプレッサ１１１をエンジン１０１に取り付けるための取付ブラケット１１５が取り付けられる。取付ブラケット１１５は、空調機器用コンプレッサ１１１に取り付けられる矩形枠状の基部１１６及び基部１１６に上下方向に貫通するボルト貫通孔１１７ａを有する複数のボス部１１７が突設する。この各ボス部１１７がエンジン１０１の上面に各ボス部１１７に対応して形成された上下方向に延在するネジ孔を有する空調機器用コンプレッサ取付部１０５に取付ボルト１１８によって取り付ける。
【００３９】
空調機器用コンプレッサ１１１とパワーステアリング用オイルポンプ１３１との間に配置されるオルタネータ１２１は、前面に回転軸１２２が延出し、回転軸１２２に従動側のプーリ１２３が装着され、オルタネータ１２１の上部及び下部に回転軸１２２と平行なネジ孔を有する治具取付ボス部１２４が突出形成する。プーリ１２３はベルト巻き掛け部１２３ａが周方向に連続する複数のＶ溝によって形成され、その両側にプーリフランジが形成されたＶリブドベルト用のプーリによって構成される。
【００４０】
このようにオルタネータ１２１の下部にオルタネータ１２１をエンジン１０１に取り付けるための取付ブラケット１２５が取り付けられる。取付ブラケット１２５は、オルタネータ１２１に取り付けられる基部及び基部に上下方向に貫通するボルト貫通孔１２７ａを有するボス部１２７が突設する。このボス部１２７がエンジン１０１の上面にボス部１２７に対応して形成された上下方向に延在するネジ孔を有するオルタネータ取付部１０６に取付ボルト１２８によって取り付ける。
【００４１】
パワーステアリング用オイルポンプ１３１は、前面に回転軸１３２が延出し、回転軸１３２に従動側のプーリ１３３が装着され、パワーステアリング用オイルポンプ１３１の各側部に対向して回転軸１３２と平行なネジ孔を有する治具取付ボス部１３４が突出する。
【００４２】
プーリ１３３はベルト巻き掛け部１３３ａが周方向に連続する複数のＶ溝によって形成され、その両側にプーリフランジが形成されたＶリブドベルト用のプーリによって構成される。
【００４３】
パワーステアリング用オイルポンプ１３１の下部にパワーステアリング用オイルポンプ１３１をエンジン１０１に取り付けるための取付ブラケット１３５が取り付けられる。取付ブラケット１３５は、パワーステアリング用オイルポンプ１３１に取り付けられる基部及び基部に上下方向に貫通するボルト貫通孔１３７ａを有するボス部１３７が突設する。
【００４４】
このボス部１３７がエンジン１０１の上面に各ボス部１３７に対応して形成され図示しない上下方向に延在するネジ孔を有するパワーステアリング用オイルポンプ取付部１０７に取付ボルト１３８によって取り付ける。
【００４５】
これら空調機器用コンプレッサ１１１、オルタネータ１２１、パワーステアリング用オイルポンプ１３１の補機類は、各プーリ１１３、１２３、１３３のベルト巻き掛け部１１３ａ、１２３ａ、１３３ａがクランク軸１０２に設けられたクランクプーリ１０３のベルト巻き掛け部１０３ａと同一平面上に配置され、かつ各プーリ１１３、１２３、１３３の中心軸１１３ｃ、１２３ｃ、１３３ｃがクランクプーリ１０３の中心軸１０３ｃに対して平行となるようにアライメントが合わされた状態に補機類取付用治具１によって位置決めしてエンジン１０１に取り付けられる。
【００４６】
そして、駆動側となるクランク軸１０２に装着されたクランクプーリ１０３と従動側となる空調機器用コンプレッサ１１１のプーリ１１３、オルタネータ１２１のプーリ１２３、パワーステアリング用オイルポンプ１３１のプーリ１３３の各プーリとの間に図示しない無端状の伝動ベルト、即ち平ベルト状のベルト本体の内周面にベルト周方向に延びる複数のＶリブが一体形成されたＶリブドベルトが巻き掛けられる。即ち、クランク軸１０２が回転することにより伝動ベルトが駆動側のクランクプーリ１０３から各従動側のプーリ１１２、１２２、１３２を順に走行して再びクランクプーリ１０３に戻るように循環走行して各補機類を駆動する。
【００４７】
次に、これら空調機器用コンプレッサ１１１、オルタネータ１２１、パワーステアリング用オイルポンプ１３１等の補機類をエンジン１０１に取り付ける際に使用される補機類取付用治具１について図１乃至図４を参照して説明する。
【００４８】
図１は補機類取付治具１の正面図、図２は補機類取付治具１の斜視図、図３は補機類取付治具１の分解斜視図、図４は補機類治具１に空調機器用コンプレッサ１１１、オルタネータ１２１、パワーステアリング用オイルポンプ１３１等の補機類を取り付けた状態を示す斜視図である。なお、図１において説明の便宜上、クランクプーリ１０３及び各補機類のプーリ１１３、１２３、１３３を仮想線で示す。
【００４９】
補機類取付治具１は、エンジン１０１の前面と対向可能な前面１２、後面１３及び上面１４Ａ、下面１４Ｂ、側面１４Ｃ、１４Ｄの周面を備えた正面視エンジン１０１の幅方向に延在する矩形板状の治具本体１１と、治具本体１１の下面１４Ｂの中央部に設けられて基準プーリとなるクランクプーリ１０３に所定の位置関係を保って係合するクランクプーリ係合部２０及び前面１２に幅方向に沿って配置されて各補機類のプーリ１１３、１２３、１３３を固定可能に係合する空調機器用コンプレッサ用プーリ係合部３１、オルタネータ用プーリ係合部４１、パワーステアリング用オイルポンプ用プーリ係合部５１の補機類用プーリ係合部と、空調機器用コンプレッサ１１１、オルタネータ１２１、パワーステアリング用オイルポンプ１３１を補機類治具１に固定保持する空調機器用コンプレッサ保持手段６１、オルタネータ保持手段６５、パワーステアリング用オイルポンプ保持手段７１の各補機類保持手段を備える。
【００５０】
これら治具本体１１に設けられるクランクプーリ係合部２０、空調機器用コンプレッサ用プーリ係合部３１、オルタネータ用プーリ係合部４１、パワーステアリング用オイルポンプ用プーリ係合部５１によってクランクプーリ１０３に対する各補機類のプーリ１１３、１２３、１３３が、各補機類をエンジン１０１に取り付けてアライメントを合わせた状態と同様の相互位置に維持される。
【００５１】
クランクプーリ係合部２０は、基端が治具本体１１の下面１４Ｂに取り付けられて下方に対向して延在する板状の第１クランクプーリ位置規制部２２Ａ及び前面１２より前方に突出すると共に下方に折曲して延在する第１クランクプーリ係合部２３Ａを備えた第１クランクプーリ係合部材２１Ａと、この第１クランクプーリ係合部材２１Ａに隣接して基端が治具本体１１の下面１４Ｂに取り付けられて隙間を介して対向して下方に延在する板状の第２クランクプーリ位置規制部２２Ｂ及び前面１２より前方に突出すると共に下方に折曲して延在する第２クランクプーリ係合部２３Ｂを備えた第２クランクプーリ係合部材２１Ｂとを備える。
【００５２】
第１クランクプーリ係合部材２１Ａ及び第２クランクプーリ係合部材２１Ｂの第１クランクプーリ位置規制部２２Ａ、第２クランクプーリ位置規制部２２Ｂの前面に治具本体１１の前面１２と平行でかつクランクプーリ１０３の側面が当接可能な第１クランクプーリ規制面２２ａ及び第２クランクプーリ規制面２２ｂを備える。
【００５３】
第１クランクプーリ係合部材２１Ａ及び第２クランクプーリ係合部材２１Ｂの各第１クランクプーリ嵌合部２３Ａ及び第２クランクプーリ嵌合部２３Ｂの各先端間に亘ってクランクプーリ１０３のベルト巻き掛け部１０３ａに、その半周範囲より若干小さい範囲に嵌合可能な複数のＶリブが周方向に連続形成され複数形成された断面状でクランクプーリ１０３のベルト巻き掛け部１０３ａの半径を同一の半径を有する円弧状に連続する第１係合凹面２３ａ及び第２係合凹面２３ｂが形成される。即ち第１係合凹面２３ａ及び第２係合凹面２３ｂは共通の円弧中心２３ｃを有してベルト巻き掛け部１０３ａの半径と同一の半径を有する円弧状に形成する。
【００５４】
この第１クランクプーリ位置規制部２２Ａ及び第２クランクプーリ位置規制部２２Ｂの第１クランクプーリ規制面２２ａ、第２クランクプーリ規制面２２ｂにクランクプーリ１０３の端面を当接すると共に、第１クランクプーリ係合部２３Ａ及び第２クランクプーリ係合部２３Ｂの各第１係合凹面２３ａ及び第２係合凹面２３ｂがクランクプーリ１０３のベルト巻き掛け部１０３ａに嵌合することで、第１クランクプーリ係合部材２１Ａがベルト巻き掛け部１０３ａにその周方向に所定範囲でかつ幅方向に所定範囲に亘り当接してクランクプーリ１０３に対して所定の位置関係を保って係合し、クランクプーリ１０３の中心軸１０３ｃに対する補機類治具１の相対位置を規制する。ここで、１クランクプーリ係合部材２１Ａと第２クランクプーリ係合部材２１Ｂとの間より第１係合凹面２３ａ及び第２係合凹面２３ｂとクランクプーリ１０３との係合状態を容易に目視確認できる。
【００５５】
空調機器用コンプレッサ用プーリ係合部３１は、治具本体１１の前面１２に固設された固定側プーリ係合部３２と固定側プーリ係合部３２の下方に隣接して固定側プーリ係合部３２に対して接離可能な可動側プーリ係合部３４とを有する。
【００５６】
固定側プーリ係合部３２は、治具本体１１の前面１２に固設される矩形のブロック状で、下面に空調機器用コンプレッサ１１１のプーリ１１３のベルト巻き掛け部１１３ａに、その半周範囲より若干小さい範囲で嵌合可能な複数のＶリブが周方向に連続形成され断面状でプーリ１１３のベルト巻き掛け部１１３ａの半径と同一の半径を有する円弧状に連続する係合凹面３３を有する。即ち、係合凹面３３は円弧中心３３ｃを有してベルト巻き掛け部１１３ａの半径と同一の半径を有する円弧状でベルト巻き掛け部１１３ａに嵌合可能に形成される。
【００５７】
可動側プーリ係合部３４は、矩形ブロック状で、固定側プーリ係合部３１の下面と対向する上面に空調機器用コンプレッサ１１１のプーリ１１３のベルト巻き掛け部１１３ａに、その半周範囲より若干小さい範囲に嵌合可能な複数のＶリブが周方向に連続形成され断面状でプーリ１１３のベルト巻き掛け部１１３ａの半径と同一の半径を有して円弧状に連続する係合凹面３５を有する。また、可動側プーリ係合部３４には後面から前面に貫通するネジ孔３６が穿孔される。
【００５８】
一方、治具本体１１には可動側プーリ係合部３４の配置位置に対応して固定側プーリ係合部３２の係合凹面３３に接離する上下方向が長径となる長孔３７が穿孔される。そして、治具本体１１の前面１２に可動側プーリ係合部３４の後面が摺動可能に載置され、治具本体１１の長孔３７を貫通してネジ孔３６に螺合する係合部取付ボルト３８によって可動側プーリ係合部３４が固定側プーリ係合部３２に対して接離方向に移動可能に治具本体１１に取り付けられる。
【００５９】
対向する固定側プーリ係合部３２の係合凹面３３と可動側プーリ係合部３４の係合凹面３５との間に対応する治具本体１１の前面１２にプーリ１１３の端面が当接してプーリ１１３の位置を規制するプーリ規制面３９が形成される。
【００６０】
このプーリ規制面３９にプーリ１１３の端面を当接すると共に、固定側プーリ係合部３２の係合凹面３３をベルト巻き掛け部１１３ａに嵌合することで、係合凹面３３がベルト巻き掛け部１１３ａのその周方向に所定範囲でかつ幅方向に所範囲で当接して補機類治具１との相対位置を規制する。この位置規制されたプーリ１１３の中心軸１１３ｃは、クランクプーリ係合部２０の第１クランクプーリ規制面２２ａ、第２クランクプーリ規制面２２ｂに端面１０３ｂを当接し、かつ第１係合凹面２３ａ及び第２係合凹面２３ｂにベルト巻き掛け部１０３ａに嵌合して位置規制されたクランクプーリ１０３の中心軸１０３ｃに対して平行となり、かつベルト巻き掛け部１１３ａがクランクプーリ１０３のベルト巻き掛け部１０３ａと同一面上に規制されてクランクプーリ１０３に対してプーリ１１３のアライメントを合わせた状態に維持される。
【００６１】
オルタネータ用プーリ係合部４１は、治具本体１１の前面１２に固設された固定側プーリ係合部４２と固定側プーリ係合部４２の下方に隣接して固定側プーリ係合部４２に接離可能な可動側プーリ係合部４４とを有する。固定側プーリ係合部４２は、基部１１の前面１２に固設される矩形のブロック状で、下面にオルタネータ１２１のプーリ１２３のベルト巻き掛け部１２３ａに、その半周範囲より若干小さい範囲に嵌合可能な複数のＶリブが周方向に連続形成され断面状でプーリ１２３のベルト巻き掛け部１２３ａの半径と同一の半径を有する円弧状に連続する係合凹面４３を有する。即ち、係合凹面４３は円弧中心４３ｃを有してベルト巻き掛け部１２３ａの半径と同一の半径とする円弧状でベルト巻き掛け部１２３ａに嵌合可能に形成される。
【００６２】
対向する可動側プーリ係合部４４は、矩形ブロック状で、固定側プーリ係合部４２の下面と対向する上面にオルタネータ１２１のプーリ１２３のベルト巻き掛け部１２３ａに、その半周範囲より若干小さい範囲に嵌合可能な複数のＶリブが周方向に連続形成され断面状でプーリ１２３のベルト巻き掛け部１２３ａの半径と同一の半径を有する円弧状に連続する係合凹面４５を有する。また、可動側プーリ係合部４４には後面から前面に貫通するネジ孔４６が穿孔される。
【００６３】
一方、治具本体１１には可動側プーリ係合部４４の配置位置に対応して固定側プーリ係合部４２の係合凹面４３に接離する上下方向が長径となる長孔４７が穿孔される。そして、治具本体１１の前面１２に可動側プーリ係合部４４の後面が摺動可能に載置され、治具本体１１の長孔４７を貫通してネジ孔４６に螺合する可動側プーリ係合部取付ボルト４８によって可動側プーリ係合部４４が固定側プーリ係合部４２に対して接離方向に移動可能に治具本体１１に取り付けられる。
【００６４】
固定側プーリ係合部４２の係合凹面４３と可動側プーリ係合部４４の係合凹面４５との間に対応する治具本体１１の前面１２にプーリ１２３の端面が当接してプーリ１２３の位置を規制するプーリ規制面４９が形成される。
【００６５】
このプーリ規制面４９にプーリ１２３の端面を当接すると共に、固定側プーリ係合部４２の係合凹面４３にベルト巻き掛け部１２３ａを嵌合することで、係合凹面４３がベルト巻き掛け部１２３ａに周方向に所定範囲でかつ幅方向に所定範囲に亘り当接して補機類治具１との相対位置を規制する。この位置規制されたプーリ１２３の中心軸１２３ｃは、クランクプーリ係合部２０の第１クランクプーリ規制面２２ａ、第２クランクプーリ規制面２２ｂに端面１０３ｂを当接し、かつ第１係合凹面２３ａ及び第２係合凹面２３ｂにベルト巻き掛け部１０３ａを嵌合して位置規制されたクランクプーリ１０３の中心軸１０３ｃに対して平行となり、かつベルト巻き掛け部１２３ａがクランクプーリ１０３のベルト巻き掛け部１０３ａ及び空調機器用コンプレッサ１１１のベルト巻き掛け部１１３ａと同一面上に規制されて、クランクプーリ１０３に対してプーリ１２３のアライメントを合わせた状態に維持される。
【００６６】
パワーステアリング用オイルポンプ用プーリ係合部５１は、治具本体１１の前面１２に固設される固定側プーリ係合部５２と固定側プーリ係合部５２の下方に隣接して固定側プーリ係合部５２に接離可能な可動側プーリ係合部５４とを有する。固定側プーリ係合部５２は、治具本体１１の前面１２に固設される矩形のブロック状であって、下面にプーリ１３３のベルト巻き掛け部１３３ａに、その半周範囲より若干小さい範囲に嵌合可能な複数のＶリブが周方向に連続形成され断面状でプーリ１３３のベルト巻き掛け部１３３ａの半径と同一の半径を有する円弧状に連続する係合凹面５３を有する。即ち、係合凹面５３は円弧中心５３ｃを有してベルト巻き掛け部１３３ａの半径と同一の半径を有する円弧状でベルト巻き掛け部１３３ａに嵌合可能に形成される。
【００６７】
可動側プーリ係合部５４は、矩形ブロック状であって、固定側プーリ係合部５２の下面と対向する上面にプーリ１３３のベルト巻き掛け部１３３ａに、その半周範囲より若干小さい範囲に嵌合可能な複数のＶリブが周方向に連続形成され断面状でプーリ１３３のベルト巻き掛け部１３３ａの半径に相当する半径を有する円弧状に連続する係合凹面５５を有する。また、可動側プーリ係合部５４には後面から前面に貫通するネジ孔５６が穿孔される。
【００６８】
一方、治具本体１１には可動側プーリ係合部５４の取付部に対応して固定側プーリ径合部５２に接離する上下方向が長径となる長孔５７が穿孔される。そして、治具本体１１の前面１２に固定側プーリ係合部５４の後面が摺動可能に載置され、長孔５７を貫通してネジ孔５６に螺合する係合部取付ボルト５８によって治具本体１１に移動可能に取り付けられる。
【００６９】
固定側プーリ係合部５２の係合凹部５３と可動側プーリ係合部５４の係合凹部５５との間に対応する治具本体１１の前面１２にプーリ１３３の側面が当接してプーリ１３３の位置を規制するプーリ規制面５９が形成される。
【００７０】
このプーリ規制面５９にプーリ１３３の端面を当接すると共に、固定側プーリ係合部５２の係合凹面５３にベルト巻き掛け部１３３ａを嵌合することで、係合凹面５３がベルト巻き掛け部１３３ａに周方向で所定範囲に亘りかつ幅方向に所定範囲に亘り当接して補機類治具１との相対位置を規制する。この位置規制されたプーリ１３３の中心軸１３３ｃは、クランクプーリ係合部２０の第１クランクプーリ規制面２２ａ、第２クランクプーリ規制面２２ｂに端面１０３ｂを当接し、かつ第１係合凹面２３ａ及び第２係合凹面２３ｂにベルト巻き掛け部１０３ａに嵌合して位置規制されたクランクプーリ１０３の中心軸１０３ｃに対して平行となり、かつベルト巻き掛け部１３３ａがクランクプーリ１０３のベルト巻き掛け部１０３ａと同一面上に規制されて、クランクプーリ１０３に対してプーリ１３３のアライメントを合わせた状態に維持される。
【００７１】
これら、クランクプーリ係合部２０の第１係合凹面２３ａ及び第２係合凹面２３ｂの円弧中心２３ｃ、固定側プーリ係合部３２の係合凹面３３の円弧中心３３ｃ、固定側プーリ係合部４２の係合凹面４３の円弧中心４３ｃ、固定側プーリ係合部５２の係合凹面５３の円弧中心５３ｃは、それぞれアライメントが合わせられたクランクプーリ１０３の中心軸１０３ｃ、プーリ１１３の中心軸１１３ｃ、プーリ１２３の中心軸１２３ｃ、プーリ１３３の中心軸１３３ｃと同一位置となるように設定される。
【００７２】
更に、空調機器用コンプレッサ用プーリ係合部３１に隣接して治具本体１１に一対のボルト挿通孔６２が穿孔され、これらボルト挿通孔６２を挿通して空調機器用コンプレッサ１０１の各治具取付ボス部１１４に螺合する取付ボルト６３を備え、これらによって空調機器用コンプレッサ１１１を補機類取付治具１に取付固定する空調機器用コンプレッサ保持手段６１を構成する。同様にオルタネータ用プーリ係合部４１に隣接して治具本体１１に一対のボルト挿通孔６６が穿孔され、これらボルト挿通孔６６を挿通してオルタネータ１２１の各治具取付ボス部１２４に螺合する取付ボルト６７を備え、これらによってオルタネータ１２１を補機類取付治具１の取付固定するオルタネータ保持手段６５を構成する。パワーステアリング用オイルポンプ用プーリ係合部５１に隣接して治具本体１１に一対のボルト挿通孔７２が穿孔され、これらボルト挿通孔７２を挿通してパワーステアリング用オイルポンプ１３１の各治具取付ボス部１３４に螺合する取付ボルト７３を備え、これらによってパワーステアリング用オイルポンプ１３１を補機類取付治具１に取付固定するパワーステアリング用オイルポンプ保持手段７１を構成する。
【００７３】
次に、このように構成された補機類取付治具１による補機類の取付方法を参照して説明する。
【００７４】
補機類取付治具１を使用するにあたり、空調機器用コンプレッサ用プーリ係合部３１における係合部取付ボルト３８を緩めて長孔３７に沿って可動側プーリ係合部３４を下方に移動して固定側プーリ係合部３２から離反させる。同様に、オルタネータ用プーリ係合部４１における係合部取付ボルト４８を緩めて長孔４７に沿って可動側プーリ係合部４４を下方に移動して固定側プーリ係合部４２から離反させる。また、パワーステアリング用オイルポンプ用プーリ係合部５１における係合部取付ボルト５８を緩めて長孔５７に沿って可動側プーリ係合部５４を下方に移動して固定側プーリ係合部５２から離反させる。更に、空調機器用コンプレッサ保持手段６１、オルタネータ保持手段６５、パワーステアリング用オイルポンプ保持手段７１の各取付ボルト６３、６７、７３をそれぞれボルト挿通孔６２、６６、７２から抜き出して補機類取付治具１を準備する。
【００７５】
そして、この空調機器用コンプレッサ用係合部３１における離間して対向する固定側プーリ係合部３２の係合凹面３３と可動側プーリ係合部３４の係合凹面３５との間に空調機器用コンプレッサ１１１に装着されたプーリ１１３を挿入し、かつプーリ１１３の端面をプーリ規制面３９に当接させると共にベルト巻き掛け部１１３ａを固定側プーリ係合部３２の係合凹面３３に嵌合する。
【００７６】
この固定側プーリ係合部３２の係合凹面３３に嵌合したプーリ１１３のベルト巻き掛け部１１３ａは、ベルト巻き掛け部１１３ａの周方向の所定範囲及び幅方向における所定範囲に亘って当接して固定側プーリ係合部３２とプーリ１１３との相対位置が規制される。
【００７７】
固定側プーリ係合部３２の係合凹面３３とベルト巻き掛け部１１３ａの嵌合を維持した状態で、係合部取付ボルト３８を長孔３７に沿って上方に誘導して可動側プーリ係合部３４を上方に移動して係合凹面３５をプーリ１１３のベルト巻き掛け部１１３ａに当接及び嵌合させて固定側プーリ係合部３２の係合凹面３３と可動側プーリ係合部３４の係合凹面３５とによりプーリ１１３を挟持する。
【００７８】
更に、長孔３７を貫通して可動側プーリ係合部３４のネジ孔３６に螺合する係合部取付ボルト３８を締め付けて、固定側プーリ係合部３２と協働してプーリ１３３を挟持した可動側プーリ係合部３４を治具本体１１に固定する。
【００７９】
続いて、治具本体１１に穿孔する各ボルト挿通孔６２から取付ボルト６３を挿入して、空調機器用コンプレッサ１１１の側部に突出する各治具取付ボス部１１４のネジ孔に螺合締結して空調機器用コンプレッサ１１１を補機類取付治具１に固定する。
【００８０】
同様に、オルタネータ用プーリ係合部４１の離間する固定側プーリ係合部４２の係合凹面４３と可動側プーリ係合部４４の係合凹面４５との間にオルタネータ１２１に装着されたプーリ１２３を差し込み、かつプーリ１２３の端面をプーリ規制面４９に当接すると共にベルト巻き掛け部１２３ａを固定側プーリ係合部４２の係合凹面４３に嵌合する。この固定側プーリ係合部４２の係合凹面４３に嵌合したプーリ１２３のベルト巻き掛け部１２３ａは、ベルト巻き掛け部１２３ａの周方向の所定範囲及び幅方向における所定範囲に亘って当接して固定側プーリ係合部４２とプーリ１２３との相対位置が規制される。
【００８１】
固定側プーリ係合部４２の係合凹面４３とベルト巻き掛け部１２３ａの嵌合を維持した状態で、係合部取付ボルト４８を長孔４７に沿って上方に誘導して可動側プーリ係合部４４を上方に移動して係合凹面４５をプーリ１２３のベルト巻き掛け部１２３ａに当接及び嵌合させて固定側プーリ係合部４２の係合凹面４３と可動側プーリ係合部４４の係合凹面４５とによりプーリ１２３を挟持する。更に、長孔４７を貫通して可動側プーリ係合部４４のネジ孔４６に螺合する係合部取付ボルト４８を締め付けて可動側プーリ係合部４４を治具本体１１に固定する。
【００８２】
続いて、治具本体１１に穿孔する各ボルト挿通孔６６から取付ボルト６３を挿入して、オルタネータ１２１に設けられた各治具取付ボス部１２４のネジ孔に螺合締結してオルタネータ１２１を補機類取付治具１に固設する。
【００８３】
更に、同様にパワーステアリング用オイルポンプ用プーリ係合部５１の離間する固定側プーリ係合部５２の係合凹面５３と可動側プーリ係合部５４の係合凹面５５との間にパワーステアリング用オイルポンプ１３１に装着されたプーリ１３３を挿入してプーリ１３３の端面をプーリ規制面５９に当接すると共にベルト巻き掛け部１３３ａを固定側プーリ係合部５２の係合凹面５３に嵌合する。この固定側プーリ係合部５２の係合凹面５３に嵌合したプーリ１３３のベルト巻き掛け部１３３ａは、ベルト巻き掛け部１３３ａの周方向の所定範囲及び幅方向における所定範囲に亘って当接して固定側プーリ係合部５２とプーリ１３３との相対位置が規制される。
【００８４】
固定側プーリ係合部５２の係合凹面５３とベルト巻き掛け部１３３ａが嵌合した状態で、係合部取付ボルト５８を長孔５７に沿って上方に誘導して可動側プーリ係合部５４を上方に移動して係合凹面５５をプーリ１３３のベルト巻き掛け部１３３ａに当接嵌合させて固定側プーリ係合部５２の係合凹面５３と可動側プーリ係合部５４の係合凹面５５でプーリ１３３を挟持する。更に、長孔５７を貫通して可動側プーリ係合部５４のネジ孔５６に螺合する係合部取付ボルト５８を締め付けて可動側プーリ係合部５４を治具本体１１に固定する。
【００８５】
続いて、治具本体１１に穿孔する各ボルト挿通孔７２から取付ボルト７３を挿入して、パワーステアリング用オイルポンプ１３１に設けられた各治具取付ボス部１３４のネジ孔に螺合締結してパワーステアリング用オイルポンプ１３１を補機類取付治具１に取付固定する。
【００８６】
この補機類取付治具１に取り付けられた空調機器用コンプレッサ１０１のプーリ１１３、オルタネータ１２１のプーリ１２３及びパワーステアリング用オイルポンプ１３１のプーリ１３３は、空調機器用コンプレッサ用プーリ係合部３１、オルタネータ用プーリ係合部４１、パワーステアリング用オイルポンプ用プーリ係合部５１に保持されてそれぞれ中心軸１１３ｃ、１２３ｃ、１３３ｃが平行でかつ各ベルト巻き掛け部１１３ａ、１２３ａ、１３３ａが同一平面上に位置すると共にエンジン１に取り付けてアライメントを合わせた状態が確保された状態と同等の相対位置状態に保持される。
【００８７】
この空調機器用コンプレッサ１１１、オルタネータ１２１、パワーステアリング用オイルポンプ１３１が補機類取付治具１に取付固定された状態を図４に示す。
【００８８】
図４に示すように空調機器用コンプレッサ１１１、オルタネータ１２１、パワーステアリング用オイルポンプ１３１が取り付けられた補機類取付治具１は、図５乃至図７に示すように、クランクプーリ係合部２０が上方からエンジン１のクランクプーリ１０３にクランクプーリ係合部２０を係合すると共に取付ブラケット１１５のボス部１１７、取付ブラケット１２５のボス部１２７、取付ブラケット１３５のボス部１３７がそれぞれエンジン１の空調機器用コンプレッサ取付部１０５、オルタネータ取付部１０６、パワーステアリング用オイルポンプ取付部１０７上に載置された状態にセットされる。
【００８９】
具体的には、クランクプーリ係合部２０の第１クランクプーリ位置規制部２２Ａの第１クランクプーリ規制面２２ａ及び第２クランクプーリ位置規制部２２Ｂの第２クランクプーリ規制面２２ａがクランクプーリ１０３の端面を当接すると共に、第１クランクプーリ係合部２３Ａの第１係合面２３ａ及び第２クランクプーリ係合部２３Ｂの第２係合凹面２３ｂがクランクプーリ１０３のベルト巻き掛け部１０３ａに上方から嵌合して第１係合凹面２３ａ、第２係合凹面２３ｂがベルト巻き掛け部１０３ａに周方向及び幅方向において当接してクランクプーリ１０３の中心軸１０３ｃに対する補機類治具１の相対位置が規制され、かつ取付ブラケット１１５のボス部１１７、取付ブラケット１２５のボス部１２７、取付ブラケット１３５のボス部１３７がそれぞれエンジン１の空調機器用コンプレッサ取付部１０５、オルタネータ取付部１０６、パワーステアリング用オイルポンプ取付部１０７上に載置された状態にセットされる。ここで、第１クランクプーリ係合部材２１Ａと第２クランクプーリ係合部材２１Ｂとの間より第１係合凹面２３ａ及び第２係合凹面２３ｂとクランクプーリ１０３との係合状態を容易に目視確認でき、第１係合凹面２３ａ及び第２係合凹面２３ｂとクランクプーリ１０１との係合作業が容易にかつ確実に行える。
【００９０】
このクランクプーリ係合部２０がクランクプーリ１０３に嵌合することで、基部１１に設けられるクランクプーリ係合部２１、空調機器用コンプレッサ用プーリ係合部３１、オルタネータ用プーリ係合部４１、パワーステアリング用オイルポンプ用プーリ係合部５１によって固定維持された各補機類のプーリ１１３、１２３、１３３の相対位置が、クランクプーリ１０３に対して同一平面上で各中心軸１０３ｃ、１１３ｃ、１２３ｃ、１３３ｃが互いに平行で各プーリ１１３、１２３、１３３がエンジン１に組み付けられてアライメントが合わされた状態と同等の相対位置状態に維持される。
【００９１】
この補機類取付治具１によってクランププーリ１０３及び各プーリ１１３、１２３、１３３のアライメントが合わせられた状態が維持された状態で、空調機器用コンプレッサ１１１に取付けられた取付ブラケット１１５の各ボス部１１７のボルト貫通孔１１７ａに上方から挿入する取付ボルト１１８を空調機器用コンプレッサ取付部１０５のネジ孔に螺合締結して空調機器用コンプレッサ１１１をエンジン１に取り付ける。同様に、オルタネータ１２１に取付けられた取付ブラケット１２５の各ボス部１２７のボルト貫通孔１２７ａに上方から挿入する取付ボルト１２８をオルタネータ取付部１０６のネジ孔に螺合締結してオルタネータ１２１をエンジン１に取り付ける。更に、パワーステアリング用オイルポンプ１３１に取付けられた取付ブラケット１３５の各ボス部１３７のボルト貫通孔１３７ａに上方から挿入する取付ボルト１３８をパワーステアリング用オイルポンプ取付部１０７のネジ孔に螺合締結してパワーステアリング用オイルポンプ１３１をエンジン１に取り付ける。
【００９２】
補機類取付治具１によってクランクプーリ１０３に対して各プーリ１１３、１２３、１３３のアライメントが合わせられて保持された状態で空調機器用コンプレッサ１１１、オルタネータ１２１、パワーステアリング用オイルポンプ１３１をエンジン１に取り付けた、即ちクランププーリ１０３に対する各プーリ１１３、１２３、１３３のアライメント精度が確保されてエンジン１に空調機器用コンプレッサ１１１、オルタネータ１２１及びパワーステアリング用オイルポンプ１３１が取り付けられた状態で、係合部取付ボルト３８を緩めて長孔３７に沿って下方に可動側プーリ係合部３４を固定側プーリ係合部３２から離反させて空調機器用コンプレッサ１１１のプーリ１１３から開放する。同様に各係合部取付ボルト４８、５８を緩めてそれぞれ長孔４７、５７に沿って下方に可動側プーリ係合部４４、５４をそれぞれ固定側プーリ係合部４２、５２から離反させてオルタネータ１２１及びパワーステアリング用オイルポンプ１３１の各プーリ１２３、１３３から開放する。
【００９３】
続いて、空調機器用コンプレッサ１１１、オルタネータ１２１及びパワーステアリング用オイルポンプ１３１を補機類取付治具１に固定している各取付ボルト６３、６７、７３を緩め、空調機器用コンプレッサ１１１、オルタネータ１２１及びパワーステアリング用オイルポンプ１３１から補機類取付治具１を取り外しかつ補機類取付治具１のクランクプーリ係合部２１をクランクプーリ１０３から抜き出して補機類取付治具１を取り外して補機類取付治具１による空調機器用コンプレッサ１１１、オルタネータ１２１及びパワーステアリング用オイルポンプ１３１の補機類の取り付けを終了する。
【００９４】
従って、この補機類取付治具１によると、空調機器用コンプレッサ１１１、オルタネータ１２１、パワーステアリング用オイルポンプ１３１の補機類の各プーリ１１３、１２３、１３３それぞれ空調機器用コンプレッサ用プーリ係合部３１、オルタネータ用プーリ係合部４１、パワーステアリング用オイルポンプ用プーリ係合部５１によって挟持固定して各プーリ１１３、１２３、１３３相互のアライメント精度が確保された状態で空調機器用コンプレッサ１１１、オルタネータ１２１及びパワーステアリング用オイルポンプ１３１を補機類取付用治具１に取り付ける。この補機類が取り付けられた補機類取付用治具１のクランクプーリ係合部２１をクランクプーリ１０３に係合位置決めすることで、クランクプーリ１０３に対する各プーリ１１３、１２３、１３３のアライメントが確保される。このクランクプーリ１０３に対する各プーリ１１３、１２３、１３３のアライメント精度が維持された状態で空調機器用コンプレッサ１１１、オルタネータ１２１及びパワーステアリング用オイルポンプ１３１の補機類をエンジン１に取付固定する一連の作業でクランクプーリ１０３に対する空調機器用コンプレッサ１１１、オルタネータ１２１及びパワーステアリング用オイルポンプ１３１が、それぞれのプーリ１１３、１２３、１３３のアライメント精度が確保された状態でエンジン１に取り付けることができ、厄介な補機類のプーリのアライメントを調整が不要になる補機類の取り付け作業の簡素化及び効率化が得られ、作業者への負担が軽減される。
【００９５】
なお、本発明は上記実施の形態に限定されることなく、本発明の趣旨を逸脱しない範囲で種々変更可能である。例えば、上記実施の形態では、クランクプーリ係合部２０を第１クランクプーリ係合部材２１Ａ及び第２クランクプーリ係合部材２１Ｂによって形成したが単一の部材によって構成することもできる。また、第１係合凹面２３ａ、第２係合凹面２３ｂをクランクプーリ１０３のベルト巻き掛け部１０３ａに周方向に所定長さに亘りかつ幅方向に所定幅に亘り当接してクランププーリ１０３に対するクランクプーリ係合部２１の位置決めをするように構成したが、第１係合面２３ａ、第２係合凹面２３ｂをベルト巻き掛け部１０３ａｂに周方向に所定範囲に亘りかつ幅方向に所定範囲に亘り当接することなく、クランクプーリ１０３のベルト巻き掛け部１０３ａの周方向に離間し、かつ少なくとも一点がプーリ軸１０３ｃ方向に偏倚する３点以上でベルト巻き掛け部１０３ａに当接する係合部によって形成することもできる。
【００９６】
同様に、空調機器用コンプレッサ用プーリ係合部３１の固定側プーリ係合部３２の係合凹面３３、オルタネータ用プーリ係合部４１の固定側プーリ係合部４２の係合凹面４３及びパワーステアリング用オイルポンプ用プーリ係合部５１の固定側プーリ係合部５２の係合凹面５３をそれぞれ、対応するプーリ１１３、１２３、１３３のベルト巻き掛け部１１３ａ、１２３ａ、１３３ａに周方向に所定長さに亘りかつ幅方向に所定幅に亘り当接してプーリ１１３、１２３、１３３を位置決めするように構成したが、各係合凹面３３、４３、５３をそれぞれのプーリ１１３、１２３、１３３のベルト巻き掛け部１１３ａ、１２３ａ、１３３ａに周方向に所定長さに亘りかつ幅方向に所定幅に亘り当接することなく、各係合凹面３３、４３、５３にベルト巻き掛け部１１３ａ、１２３ａ、１３３ａの周方向に離間し、かつ少なくとも一点がプーリ軸１１３ｃ、１２３ｃ、１３３ｃの延在方向に沿って偏倚する３点以上でベルト巻き掛け部１１３ａ、１２３ａ、１３３ａに当接する係合部によって形成することもできる。
【００９７】
また、エンジン１に空調機器用コンプレッサ１１１、オルタネータ１２１及びパワーステアリング用オイルポンプ１３１の補機類を取り付ける場合を例に説明したが、これらに限らず他のエンジン１に搭載する他の補機類に適用することも、また、補機類の３個に限ら要望に応じて適宜個数の補機類の取り付けに種々変更可能である。
【符号の説明】
【００９８】
１          補機類取付用治具
１１        治具本体
２１        クランクプーリ係合部
２１Ａ      第１クランクプーリ係合部材
２３ａ      第１係合凹面
２１Ｂ      第２クランクプーリ係合部材
２３ｂ      第２係合凹面
３１        空調機器用コンプレッサ用プーリ係合部（補機類用プーリ係合部）
３２        固定側プーリ係合部
３３        係合凹面
３４        可動側プーリ係合部
３５        係合凹面
４１        オルタネータ用プーリ係合部（補機類用プーリ係合部）
４２        固定側プーリ係合部
４３        係合凹面
４４        可動側プーリ係合部
４５        係合凹面
５１        パワーステアリング用オイルポンプ用プーリ係合部（補機類用プーリ係合部）
５２        固定側プーリ係合部
５３        係合凹面
５４        可動側プーリ係合部
５５        係合凹面
１０１      エンジン
１０２      クラック軸
１０３      クランクプーリ
１０３ａ    ベルト巻き掛け部
１１１      空調機器用コンプレッサ（補機類）
１１３      プーリ
１１３ａ    ベルト巻き掛け部
１１３ｃ    中心軸
１１４      治具取付ボス部
１１５      取付ブラケット
１１７      ボス部
１１８      取付ボルト
１２１      オルタネータ（補機類）
１２３      プーリ
１２３ａ    ベルト巻き掛け部
１２５      取付ブラケット
１２７      ボス部
１２８      取付ボルト
１３１      パワーステアリング用オイルポンプ（補機類）
１３３      プーリ
１３３ａ    ベルト巻き掛け部
１３５      取付ブラケット
１３７      ボス部
１３８      取付ボルト
【図１】
2012193684.tif 000003
【図２】
2012193684.tif 000004
【図３】
2012193684.tif 000005
【図４】
2012193684.tif 000006
【図５】
2012193684.tif 000007
【図６】
2012193684.tif 000008
【図７】
2012193684.tif 000009